(57)【特許請求の範囲】
【請求項１】
支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具であって、
振れ止め用金具は、吊り部材を握持するようにして固定するためＣ字形に形成された環状部及びその両端から延伸した延伸部を有する固定片からなる固定部と、固定片の延伸部に挟まれるようにして設けられ振止部材を取り付けるための取付片からなる取付部とを備え、
固定部は、固定片の延伸部に形成された締結孔を介してボルト及びナットの締結具で締結するとともに、固定片の環状部にその軸方向に沿って１又は２以上の孔又は／及び溝を形成したことで強度を下げて固定片の吊り部材に対する仮固定を補助する仮固定補助手段を備え、
取付部は、固定片の延伸部に挟まれる取付片の本体部分に締結孔を形成するための穿孔と、取付片の本体から折曲する折曲部分に振止部材を挿通するための挿通部とを備えたことを特徴とする振れ止め用金具。
【請求項２】
支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具であって、
振れ止め用金具は、吊り部材を握持するようにして固定するためＣ字形に形成された環状部及びその両端から延伸した延伸部を有する固定片からなる固定部と、固定片の延伸部に挟まれるようにして設けられ振止部材を取り付けるための取付片からなる取付部とを備え、
固定部は、固定片の延伸部に形成された締結孔を介してボルト及びナットの締結具で締結するとともに、固定片の環状部にその軸方向に沿って強度を下げて固定片の吊り部材に対する仮固定を補助する仮固定補助手段を備え、且つ環状部へ吊り部材を押圧するための押圧手段を固定片の延伸部内面側に備え、
取付部は、固定片の延伸部に挟まれる取付片の本体部分に締結孔を形成するための穿孔と、取付片の本体から折曲する折曲部分に振止部材を挿通するための挿通部とを備えたことを特徴とする振れ止め用金具。
【請求項３】
固定部は、環状部へ吊り部材を押圧するための押圧手段を固定片の延伸部内面側に備えたことを特徴とする請求項１記載の振れ止め用金具。
【請求項４】
取付部は、取付片に設けられた挿通部を切欠溝によって形成したことを特徴とする請求項１から３のいずれかに記載の振れ止め用金具。
【請求項５】
取付部は、振止部材に螺合するナットと挿通部の設けられた折曲部分に介在させて振止部材の脱落を防止するために切欠溝の開口側を塞ぐ脱落防止用ワッシャーを備えたことを特徴とする請求項４記載の振れ止め用金具。
【請求項６】
固定部の締結孔に設けられた締結具は、ナットによる締め付けに対してボルトの伴回りを防止するための伴回り防止手段を備えたことを特徴とする請求項１から５のいずれかに記載の振れ止め用金具。
【発明の詳細な説明】
【技術分野】
【０００１】
本願発明は、空調機器や配管・架台等の支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具に関するものである。
【背景技術】
【０００２】
上記振れ止め用金具に関する先行技術文献としては、特許文献１に示すものが挙げられる。
【０００３】
特許文献１は、図９に示すものである。詳しくは、吊りボルトＰの側面に挟着する平面Ｕ字形状の挟着体１と、この挟着体１の開放端部を貫通して固定する連結ボルト２と、この連結ボルト２に上下誘動自在に連結され、吊りボルトＰに対して斜めに配設される長ボルトＱに連結する斜め支持体３とから成る吊りボルト振れ止め金具において、挟着体１の一方の開放端部を屈曲して前記連結ボルト２の頭部２Ａに係止する回り止め部１Ｅを設けたことを特徴とするものである。また、挟着体１の対向する内側面に、二組の係止部１Ａを設けて、係止部１Ａは、それぞれ吊りボルトＰ側面の上下２カ所の谷部に食い込む上下一対の係止突起１Ａａから成り、吊りボルトＰを介して相対する各係止突起１Ａａの位置が上下にずれるように設定することを特徴とするものである。
【先行技術文献】
【特許文献】
【０００４】
【特許文献１】特開２００２−３３９９１８号公報
【発明の概要】
【発明が解決しようとする課題】
【０００５】
上記する特許文献１に開示された振れ止め用金具の目的・効果は、同明細書に記載されているように、確実な固定力を有し、高所での取り付け作業を容易に行なうことができ、しかも、１本の連結ボルトを使用する場合でも、既設の吊りボルトに後付けで装着することが可能になるものである（同明細書［００１２］及び［００２３］参照）。
【０００６】
これに対して、本願発明者は、特許文献１に開示された振れ止め用金具とは異なる構造で、後付け施工が可能であるとともに、施工現場での作業性・安定性に優れた振れ止め用金具を提供すべく鋭意試験・研究を行い、本願発明を完成するに至った。
【課題を解決するための手段】
【０００７】
上記目的を達成するために、本願発明の第１の発明は、支持材を支持するために天井側から垂下された全ネジ又は半ネジの吊り部材と、支持材を振れ止めするために天井側から傾斜して吊り部材に取り付けられる全ネジ又は半ネジの振止部材とを連結するための振れ止め用金具であって、振れ止め用金具は、吊り部材を握持するようにして固定するためＣ字形に形成された環状部及びその両端から延伸した延伸部を有する固定片からなる固定部と、固定片の延伸部に挟まれるようにして設けられ振止部材を取り付けるための取付片からなる取付部とを備え、固定部は、固定片の延伸部に形成された締結孔を介してボルト及びナットの締結具で締結するとともに、固定片の環状部にその軸方向に沿って強度を下げて固定片の吊り部材に対する仮固定を補助する仮固定補助手段を備え、取付部は、固定片の延伸部に挟まれる取付片の本体部分に締結孔を形成するための穿孔と、取付片の本体から折曲する折曲部分に振止部材を挿通するための挿通部とを備えたことを特徴とするものである。
第２の発明は、固定部が、固定片の仮固定手段として、１又は２以上の孔（スリット、丸孔等）又は／及び溝を形成したことを特徴とする同振れ止め用金具である。
第３の発明は、固定部が、環状部へ吊り部材を押圧するための押圧手段を固定片の延伸部内面側に備えたことを特徴とする同振れ止め用金具である。
第４の発明は、取付部が、取付片に設けられた挿通部を切欠溝によって形成したことを特徴とする同振れ止め用金具である。
第５の発明は、取付部が、振止部材に螺合するナットと挿通部の設けられた折曲部分に介在させて振止部材の脱落を防止するために切欠溝の開口側を塞ぐ脱落防止用ワッシャーを備えたことを特徴とする同振れ止め用金具である。
第６の発明は、締結孔に締結具を設けた固定部が、ナットによる締め付けに対してボルトの伴回りを防止するための伴回り防止手段を備えたことを特徴とする同振れ止め用金具である。
【発明の効果】
【０００８】
上記した本願発明によれば、以下のような効果を有する。
（１）固定部が、固定片の環状部にその軸方向に沿って強度を下げて固定片の吊り部材に対する仮固定を補助する仮固定補助手段（スリットや凹溝等）を備えたことで、工具を使用せずに指で延伸部をつまむだけで固定片を吊り部材に仮固定できる。すなわち、固定片の延伸部を指でつまんで略ハの字に広がる延伸部の開きを抑えることで、吊り部材を簡単に握持し仮固定できるとともにボルト・ナットによる締め付けを簡単に行える。これによって、振り止め要金具の後付け施工を簡易且つ確実に実施できる。
（２）固定部が、環状部へ吊り部材を押圧するための押圧手段を固定片の延伸部内面側に備えることで、吊り部材が固定片の環状部へ押圧されて吊り部材を適正位置に維持できるために、固定片の吊り部材への固定がより確実なものとなる。
（３）取付部が、取付片の本体から折曲する折曲部分に振止部材を挿通するための挿通部として切欠溝を備えることで、振止部材を取付部に後付け施工で取り付けることができる。また、振止部材に予めナットを取り付けておく（螺合しておく）ことができる（前記の特許文献１では振止部材の挿通後でなければ、下側ナットを取り付けることができなかった）。
（４）取付部が、切欠溝の開口側を塞ぐ脱落防止用ワッシャーを備えることで、取付部から振止部材の脱落を簡易且つ確実に防止することができる。
（５）締結孔に締結具を設けた固定部が、ナットによる締め付けに対してボルトの伴回りを防止するための伴回り防止手段を備えることで、ボルトの伴回りを防止し、ナットによる締め付けを確実に行える。
（６）上記（１）〜（５）のように、本願発明は、吊り部材と振止部材を簡易且つ確実に連結できるので、耐震補助材として有効に使用できる。
【図面の簡単な説明】
【０００９】
【図１】振れ止め用金具の全体構造を示す分解図。
【図２】振れ止め用金具の使用状態を示す説明図。
【図３】振れ止め用金具の固定部の構造を示す説明図（１）。
【図４】振れ止め用金具の固定部の構造を示す説明図（２）。
【図５】振れ止め用金具の取付部の構造を示す説明図。
【図６】振れ止め用金具の脱落防止用ワッシャーのその他の実施形態を示す説明図。
【図７】振れ止め用金具の取付片のその他の実施形態を示す説明図（１）。
【図８】振れ止め用金具の取付片のその他の実施形態を示す説明図（２）。
【図９】特許文献１に開示された先行技術を示す説明図。
【発明を実施するための形態】
【００１０】
本願発明の実施形態を図面に基づいて説明する。
図１は、本願発明に係る振れ止め用金具１０の全体構造を示す分解図である。
図１に示すように、振れ止め用金具１０は、吊り部材（図示省略）を握持するようにして固定するためＣ字形に形成された環状部及びその両端から延伸した延伸部を有する（略Ｕ字形に形成された）固定片３０からなる固定部２０と、固定片３０の延伸部３１，３１に挟まれるようにして設けられ振止部材（図示省略）を取り付けるためのＬ字形の取付片５０からなる取付部４０とを備える。
【００１１】
固定部２０は、固定片３０の延伸部３１に形成された締結孔３２を介して、ボルト７１及びナット７２の締結具７０で締結する。
また、取付部４０は、固定片３０の延伸部３１に挟まれる取付片５０の本体部分に締結孔を形成するための穿孔５１と、取付片５０の本体から折曲する折曲部分に振止部材を挿通するための挿通部としての切欠溝５２とを備える。なお、符号６０は、切欠溝５２から振止部材の脱落を防止するために切欠溝５２の開口側を塞ぐ脱落防止用ワッシャーであり、符号７５は、全ネジ又は半ネジの振止部材に螺合して取付片５０の折曲部分と脱落防止用ワッシャー６０を挟み込み、振止部材を取付片５０に取り付けるナットである。
【００１２】
図２は、振れ止め用金具１０の使用状態を示す説明図である。
図２に示すように、振れ止め用金具１０は、空調機器や配管・架台等の支持材（図示省略）を支持するために天井側から垂下された全ネジからなる吊り部材８０に固定部２０を固定するとともに、支持材を振れ止めするために天井側から傾斜する全ネジからなる振止部材８５を取付部４０に取り付けて、吊り部材８０と振止部材８５とを連結するものである。ここで、取付部４０に取り付けた振止部材８５は、どの位置で取り付けられても他の部材、例えば、固定部２０や締結具７０（特にボルト７１）などに接触（干渉）することがないので、位置調整が容易で余裕をもって振止部材８５を収納できる。
【００１３】
図３及び図４は、振れ止め用金具１０の固定部２０の構造を示す説明図である。
まず、図３に示すように、固定部２０は、固定片３０をＣ字形に形成された環状部及びその両端から延伸した延伸部で構成して吊り部材８０を握持するようにして仮固定する。この時、固定片３０の仮固定を容易にするために、固定片３０の環状部３５にその軸方向に沿って強度を下げて固定片３０の吊り部材８０に対する仮固定を補助する仮固定補助手段３３を備えている。この仮固定補助手段３３を備えることで、固定片３０の延伸部３１，３１を指でつまんで略ハの字に広がる延伸部３１，３１の開きを抑えることで、吊り部材８０を簡単に握持し仮固定できる。それととともに、次の締結具７０（ボルト７１・ナット７２）による締め付けを簡単に行える。ここで、仮固定補助手段３３には、図示するように固定片３０の背の部分にスリット３４，３４や凹溝３８を設けることなどが挙げられる（スリットではなく丸孔でもよいし、スリットを上下に切欠溝のように形成してもよく、要は強度を下げて延伸部をつまみやすくすればよい）。また、締結孔３２の外周側には、締結具７０をナット７２で締め付ける場合に、ボルト７１の伴回りを防止するために伴回り防止突起７３を設けている。
【００１４】
次に、図３及び図４に示すように、固定片３０の反開放側へ形成される環状部３５の上下端には、内面側に突起するずれ止め防止爪３６を備える。このずれ止め防止爪３６は、全ネジ又は半ネジからなる吊り部材８０のネジ溝に引っ掛けることによって、固定片３０が吊り部材８０からずり落ちること（吊り部材８０の長手方向下方への移動・落下）を防止できる。ここで、ずれ止め防止爪３６は、先端のエッジ部分をネジ溝に引っ掛けるようにする構造であるために、固定片３０と吊り部材８０との当接（締結具による締め付け）が多少あまくても（緩くても）ネジ溝に引っ掛かり、ずり落ちを防止できる。これに対して、前記の特許文献１では、係止突起１Ａａをネジ溝に食い込ませる構造であるために、固定片３０と吊り部材８０との当接（締結具による締め付け）を強固にしないとネジ溝へ食い込まず、係止できない。
【００１５】
また、図３及び図４に示すように、固定片３０の反開放側に形成される環状部３５へ吊り部材を押圧するための押圧手段３７を固定片３０の環状部３５又は／及び延伸部３１内面側に備える。すなわち、押圧手段３７は、環状部３５との連接部分（境界部分）にあって内面側へ凸状に形成されている。このため、固定片３０が吊り部材８０を握持するように締結孔３２へ挿通された締結具７０（ボルト７１及びナット７２）を締め付けると、押圧手段３７はこの締め付け作業に従い吊り部材８０を環状部３５（反開放側端部３３）へ押圧することになる。従って、吊り部材を適正位置に維持できるために、固定片の吊り部材への固定がより確実なものとなる。
【００１６】
図５は、振れ止め用金具１０の取付部４０の構造を示す説明図である。
まず図５（ａ）に示すように、取付片５０はその本体から折曲する折曲部分に切欠溝５２を備えて、この切欠溝５２に全ネジからなる振止部材８５を挿通する。
次に図５（ｂ）に示すように、取付片５０を振止部材８５に固定するために用いられるナット７５と切欠溝５２の設けられた折曲部分との間に脱落防止用ワッシャー６０を介在させる。
そして図５（ｃ）に示すように、振止部材８５に螺合したナット７５，７５で取付片５０（折曲部分）及び脱落防止用ワッシャー６０を締め付ける。これによって、取付部４０は、振止部材８５を取付片５０に後付け施工で取り付けることができる。また、取付部４０は、脱落防止用ワッシャー６０で切欠溝５２の開口側を塞ぐことになり、取付部４０から振止部材８５の脱落を簡易且つ確実に防止することができる。
【００１７】
図６は、脱落防止用ワッシャーのその他の実施形態を示す説明図である。
図５（ｂ）（ｃ）に示した脱落防止用ワッシャー６０は、当接する取付片５０の切欠溝５２の先端側を折り曲げた起立部５３，５３によって取付片５０との当接を維持される。  一方、図６に示す脱落防止用ワッシャー６５は、その両端を略Ｓ字形に折り曲げた保持部６６，６６を備える。そして、脱落防止用ワッシャー６５は、この保持部６６，６６の弾性力によって取付片５０との当接を維持される。
【００１８】
図７は、取付片のその他の実施形態を示す説明図（１）であり、取付片の外観を（ａ）は平面図、（ｂ）は側面図、（ｃ）は正面図で図示したものである。
図７に示す取付片５５が、図１及び図５等に示す取付片５０と異なるのは、振止部材を挿通するための切欠溝５６を折曲部分の側面（サイド）に形成した点にある。
【００１９】
図８は、取付片のその他の実施形態を示す説明図（２）であり、取付片の外観を（ａ）は平面図、（ｂ）は側面図、（ｃ）は正面図で図示したものである。
図８に示す取付片５７が、図１及び図５等に示す取付片５０や図７に示す取付片５５と異なるのは、振止部材を挿通するための切欠溝５８を本体部分から折曲部分の中心にわたってＬ字形に形成した点にある。
【産業上の利用可能性】
【００２０】
本願発明に係る振れ止め用金具は、空調機器や配管・架台等の支持材を支持するために天井側から垂下された吊り部材（全ネジ・半ネジ）と、支持材を振れ止めするために天井側から傾斜して吊り部材に取り付けられる振止部材（全ネジ・半ネジ）とを連結するために広く利用できるものである。特に、既に吊り部材や振止部材が配設された場合の後付け施工が可能な振れ止め用金具として広く利用できるものである。
【符号の説明】
【００２１】
１０  振れ止め用金具
２０  固定部
３０  固定片
３１  延伸部
３２  締結孔
３３  仮固定補助手段
３４  スリット
３５  環状部
３６  ずれ止め防止爪
３７  押圧手段
３８  凹溝
４０  取付部
５０  取付片
５１  穿孔
５２  切欠溝
５３  起立部
５５  取付片
５６  切欠溝
５７  取付片
５８  切欠溝
６０  脱落防止用ワッシャー
６５  脱落防止用ワッシャー
６６  保持部
７０  締結具
７１  ボルト
７２  ナット
７３  伴回り防止突起
７５  ナット
８０  吊り部材
８５  振止部材
【図１】
0005695391.tif 000002
【図２】
0005695391.tif 000003
【図３】
0005695391.tif 000004
【図４】
0005695391.tif 000005
【図５】
0005695391.tif 000006
【図６】
0005695391.tif 000007
【図７】
0005695391.tif 000008
【図８】
0005695391.tif 000009
【図９】
0005695391.tif 000010